(57)【要約】【課題】中実（角材製）の瓦桟を使用した瓦葺き屋根では、野地板と瓦と隣接する２本の瓦桟とで区画された空所が各瓦桟部分で遮断されているので、該各空所内の空気が移動しにくくなり、該空所内に熱気や湿気が長時間こもったままになる。【解決手段】瓦葺き屋根の野地板２上に設置される瓦止め用の瓦桟として、瓦桟設置状態において屋根傾斜方向に向く厚さ部分を貫通する通気用開口１４を瓦桟長さ方向に多数並設したものを使用することにより、瓦葺き屋根において瓦４と野地板２との間に区画される各空所５，５・・間の通気性を確保できるようにしている。【選択図】      図１
2009167676.tif 000002
【特許請求の範囲】
【請求項１】
瓦葺き屋根の野地板（２）上に軒先と平行に設置される瓦止め用の瓦桟であって、該瓦桟（１）には、瓦桟設置状態において屋根傾斜方向に向く厚さ部分を貫通する通気用開口（１４）を瓦桟長さ方向に多数並設していることを特徴とする瓦止め用の瓦桟。
【発明の詳細な説明】
【技術分野】
【０００１】
本願発明は、瓦葺き屋根の野地板上に設置される瓦止め用の瓦桟に関するものである。
【背景技術】
【０００２】
図６には一般的な瓦葺き屋根を示しているが、この瓦葺き屋根は、屋根の野地板２上にルーフィング３を敷設し、該ルーフィング３上に屋根傾斜方向に所定間隔をもって軒先と平行に複数本の瓦桟１０，１０・・を釘打ちにより固定し、該各瓦桟１０，１０・・に瓦尻の掛止突起４１を瓦桟１０に掛けて瓦４を位置決めした後、各瓦４，４・・を瓦桟１０に釘７，７・・で固定することで完成される。
【０００３】
図６に示す一般的な瓦葺き屋根では、瓦桟１０として中実の木材（角材）が使用されているが、該瓦桟１０，１０・・に中実の木材を使用したものでは、瓦４の下面と野地板２（ルーフィング３）の上面と屋根傾斜方向に隣接する２本の瓦桟１０，１０とで区画された各空所５，５・・がそれぞれ屋根傾斜方向に遮断された状態となる。特に、瓦４として平板瓦を使用したものでは、瓦桟１０の上面に瓦４の下面がほぼ全面接触するので、各空所５，５・・の遮断状態（不通気状態）が顕著になる。尚、瓦４に桟瓦（波形形状の瓦）を使用したものでは、瓦下面が曲面状になっているので、瓦桟１０上に桟瓦を載せたときには瓦下面と瓦桟上面との間に若干の隙間ができる部分が生じるが、その場合でも各瓦桟１０，１０・・が中実であると各空所５，５・・間の遮断状態が高水準に維持される。
【０００４】
ところで、この種の瓦葺き屋根において、野地板２（ルーフィング３）の上面と瓦４の下面と隣接する２本の瓦桟１０，１０とで区画された各空所５，５・・はそれぞれ空気溜まり部となるので、夏期の日中には瓦４，４・・が加熱されるとその輻射熱で各空所５，５・・が高温状態になる一方、湿度の高い状態で夜間に気温が低下すると該各空所５，５・・内で結露することがある。
【発明の開示】
【発明が解決しようとする課題】
【０００５】
そして、図６の従来例のように各瓦桟１０，１０・・に中実の木材を使用したものでは、瓦下面と野地板（ルーフィング）上面と隣接する２本の瓦桟で区画された各空所５，５・・間が高水準で遮断されているので、該各空所５，５・・間の通気性が非常に悪くなっている（空所５内の空気が入れ替わらない）。このように、各空所５，５・・間の通気性が悪いと、夏期の日中においては、瓦４，４・・からの輻射熱で各空所５，５・・が過度に加熱され、その空所５，５・・の熱でルーフィング３及び野地板２を介して天井裏の空所を加熱する（延いては建物の部屋の温度を過剰に上昇させる）一方、降雨等によって各空所５，５・・内が高湿度になった状態で夜間に外気温度が低下すると、空所５，５・・内の湿気が結露する（空所５内で結露すると木材製の瓦桟１０や止め釘７等を腐食させる虞れがある）、という問題があった。
【０００６】
そこで、本願発明は、瓦葺き屋根に使用される瓦桟において、瓦下面と野地板（ルーフィング）上面間の空所の空気を効率よく移動させ得るようにした構造の瓦桟を提供することを目的としている。
【課題を解決するための手段】
【０００７】
本願発明は、上記課題を解決するための手段として次の構成を有している。尚、本願発明は、屋根の野地板上に軒先と平行に設置される瓦止め用の瓦桟を対象にしている。
【０００８】
そして、本願の瓦止め用の瓦桟は、瓦桟設置状態において屋根傾斜方向に向く厚さ部分を貫通する通気用開口を瓦桟長さ方向に多数並設したものである。尚、以下の説明において、瓦桟の高さ及び幅とは、該瓦桟を屋根野地板上に設置した状態におけるもので、野地板に対して垂直方向が高さ方向であり野地板の傾斜方向が幅方向となるものである。
【０００９】
瓦葺き屋根の瓦桟としては、一般に四角形で所定長さの棒状のものが使用されているが、本願の瓦桟では、例えば幅３０〜３５mm×高さ２５〜３０mm程度の四角形で長さが例えば１〜３ｍ程度の範囲のものが採用できる。尚、これらの寸法は特に限定するものではなく、適宜に設計変更可能なものである。
【００１０】
又、本願の瓦桟の材質は、釘打ちが可能なものであれば適宜の材料が採用可能であるが、瓦桟に通気用開口を形成する関係で合成樹脂材料製（一体成型できる）のものが好ましい。
【００１１】
そして、本願の瓦桟には、幅方向（設置状態で屋根傾斜方向）に貫通する通気用開口が瓦桟長さ方向に多数並設しているが、この各通気用開口の形状は、側面視で三角形・四角形・その他の多角形・円形・楕円形等の適宜のものでよい。又、この各通気用開口は、側面視で格子状や蜂の巣状等の、上下方向に複数個の小開口を有したものでもよい。尚、通気用開口を囲う壁体部分は、瓦桟としての強度を確保し得る厚さ（例えば２〜３mmの厚さ）に設計される。
【００１２】
本願の瓦桟は、屋根の野地板（その上にルーフィングが敷設されている）上に、屋根傾斜方向に所定間隔をもって複数本設置されるが、その際、通気用開口が屋根傾斜方向に向く姿勢で釘打ちにより固定される。尚、各列の瓦桟は、軒先方向に継ぎ足したり余分の長さを切除したりして、屋根幅（軒先方向の幅）の全長に亘って設置される。
【００１３】
そして、この瓦桟の上側端縁に瓦尻の掛止突起を掛けて瓦を位置決めした後、瓦を瓦桟に釘打ちにより固定し、順次野地板全面に瓦を葺くことで瓦葺き屋根を完成させる。
【００１４】
本願の瓦桟を使用した瓦葺き屋根では、野地板（ルーフィング）の上面と各瓦の下面と屋根傾斜方向に隣接する２本の瓦桟とで区画された空所が屋根傾斜方向に複数箇所形成されている。尚、該各空所は、それぞれ軒先方向に屋根の全幅に亘って連続している。
【００１５】
ところで、本願の瓦桟を使用した瓦葺き屋根では、屋根傾斜方向に隣接する各空所が瓦桟の通気用開口で相互に連通しており、瓦と野地板間の全面積の各空所が一連に連続している。又、この一連の各空所は、軒先部分で外気に開放されている。尚、各瓦は、一部を上下及び左右に重合させているだけなので、各瓦間には空気が流通し得る微小な隙間が存在している。
【００１６】
このように、瓦と野地板間の各空所が一連に連続していると、例えば軒先部分から最下端の空所内に風が吹き込むと、当該空所（最下端の空所）内の空気が上側瓦桟の通気用開口を通って上側（２段目）の空所内に侵入し、続いて２段目の空所内の空気が押されて上側瓦桟の通気用開口を通って３段目の空所内に侵入し、順次同様に最上段の空所内に達して、該最上段の空所内の空気がそこの瓦の隙間等から外気中に放出されるようになる。又、軒先部分から空所内に風が吹き込まなくても、軒先部分を風が通ると、最下段の空所内が負圧になって該最下段の空所内の空気が軒先から吸い出され、それよって順次上段側の空所内の空気が各瓦桟の通気用開口を通って下方に移動するようになる。
【００１７】
又、外気の風が瓦面に吹き付けた場合には、その一部の風（外気）が各瓦間の隙間から瓦下の空所内に侵入するが、その場合も当該空所内の空気が侵入空気により上下瓦桟の通気用開口からスムーズに押し出される。
【００１８】
従って、本願の瓦桟を使用した瓦葺き屋根では、上記のように各瓦桟の通気用開口により、瓦と野地板との間の空所全面の空気がスムーズに外気と入れ替わるようになる。
【発明の効果】
【００１９】
本願発明の瓦止め用の瓦桟は、瓦桟設置状態において屋根傾斜方向に向く厚さ部分を貫通する通気用開口を瓦桟長さ方向に多数並設しているので、この瓦桟を使用した瓦葺き屋根では、各瓦桟で区画された瓦と野地板（ルーフィング）間の各空所が通気用開口を介して順次連通している。
【００２０】
従って、本願の瓦桟を使用した瓦葺き屋根では、次のような効果がある。即ち、例えば夏期の日中時に瓦が太陽熱で加熱されて瓦下の空所内の空気が高温になっても、各空所内の空気が瓦桟の通気用開口を介して自由に流通し得るので、空所内の空気の入れ替えがスムーズに行われ、該各空所内の空気が過剰な高温になることがない（この場合は、屋根裏から建物の部屋への加熱が少なくなる）。又、雨天時に上記各空所内が高湿度状態になっても、外気の湿度が低下すると、その低湿度の空気が各空所内の高湿度空気とスムーズに入れ替わって、比較的短時間で高湿度状態から脱却できる（この場合は、外気温度の低下時に空所で結露しにくくなる）。
【実施例】
【００２１】
図１〜図５を参照して本願実施例の瓦止め用の瓦桟を説明すると、図１には第１実施例の瓦桟を示し、図２〜図３には図１の瓦桟の使用状態を示し、図４及び図５にはそれぞれ第２及び第３実施例の瓦桟を示している。
【００２２】
図１に示す第１実施例の瓦桟１は、釘打ち可能な合成樹脂材料で成形されたもので、上面板１１と下面板１２とを長さ方向に所定間隔Ｌ（例えばＬ＝２５〜３０mm）をもって多数枚の連結板１３，１３・・で連結して構成されている。この瓦桟１の形状・大きさは、上面板１１及び下面板１２の幅Ｗが３０〜３５mm、高さＨが２５〜３０mm程度の四角形で、長さが１〜３ｍ程度に製作されている。上面板１１、下面板１２及び連結板１３の各厚さは、瓦桟としての強度を確保し得るように設定されるが、該各厚さはそれぞれ２〜３mm程度あればよい。尚、これらの数値は特に限定するものではなく、適宜に設計変更できるものである。又、この瓦桟１の長さは、例えば１ｍ、２ｍ、３ｍ等の複数サイズのものを製作することができる。
【００２３】
この瓦桟１には、上面板１１と下面板１２と左右の連結板１３，１３とで囲われる部分に、幅方向に貫通する通気用開口１４が瓦桟長さ方向に多数並設されている。この各通気用開口１４，１４・・は、この第１実施例では、間口の幅及び高さがそれぞれ２０〜２５mm程度の四角形（正方形）でかなりの大きさを有している。そして、各通気用開口１４，１４・・内を矢印Ａで示すように空気が自由に通過できるようになっている。
【００２４】
尚、瓦桟１における各通気用開口１４，１４・・は、他の実施例では強度アップのために各開口内部を板状体で区画して格子形状や蜂の巣形状にすることもできる。
【００２５】
図１に示す第１実施例の瓦桟１は、図２及び図３に示すように瓦葺き屋根の瓦止め用として屋根の野地板２上に設置される。尚、野地板２上には全面にルーフィング３が敷設されており、各瓦桟１，１・・は該ルーフィング３上に設置される。
【００２６】
この瓦桟１は、ルーフィング３上に、屋根傾斜方向に所定間隔をもって複数本設置されるが、その際、通気用開口１４が屋根傾斜方向に向く姿勢で釘打ち（図３の符号６の釘）により固定される。尚、この各列の瓦桟１は、軒先方向に継ぎ足したり余分の長さを切除したりして、屋根幅（軒先方向の幅）の全長に亘って設置される。
【００２７】
そして、この瓦桟１の上側端縁に瓦尻の掛止突起４１を掛けて瓦４を位置決めした後、該瓦４を瓦桟１に釘打ち（符号７の釘）により固定し、順次野地板全面に瓦４を葺くことで瓦葺き屋根を完成させる。尚、図２及び図３に示す実施例では、瓦４として平板瓦を使用しているが、各平板瓦４，４・・を瓦桟１上に設置すると、該各平板瓦４，４・・の下面と瓦桟１の上面とが瓦の全幅に亘って接合し、瓦下面と瓦桟上面との間にほとんど隙間ができない。従って、瓦下面と瓦桟上面との間には、ほとんど空気が流通しない。
【００２８】
第１実施例の瓦桟１を使用した瓦葺き屋根では、図２及び図３に示すように、野地板２（ルーフィング３）の上面と各瓦４，４・・の下面と屋根傾斜方向に隣接する２本の瓦桟１，１とで区画された空所５が屋根傾斜方向に複数箇所形成されている。尚、該各空所５，５・・は、それぞれ軒先方向に屋根の全幅に亘って連続している。
【００２９】
ところで、図２及び図３に示す瓦葺き屋根では、屋根傾斜方向に隣接する各空所５，５が瓦桟１の通気用開口１４，１４・・で相互に連通しており、瓦４，４・・と野地板２（ルーフィング３）間の全面積の各空所５，５・・が一連に連続している。又、軒先部分にもこの実施例の瓦桟１を使用することで、一連の各空所５，５・・を軒先部分で外気に開放させることができる。尚、各瓦４，４・・は、一部を上下及び左右に重合させているだけなので、各瓦４，４間には空気が流通する微小な隙間が存在している。
【００３０】
このように、瓦４，４・・と野地板２（ルーフィング３）間の各空所５，５・・が一連に連続していると、図２に矢印Ａで示すように瓦桟１の通気用開口１４を通して隣接する各空所５，５間に空気が流通し得るようになる。
【００３１】
そして、例えば軒先部分から最下端の空所５内に風（図２の矢印Ａ）が吹き込むと、最下端の空所５内の空気が上側瓦桟１の通気用開口１４，１４・・を通って上側（２段目）の空所５内に侵入し、続いて２段目の空所５内の空気が押されて上側瓦桟１の通気用開口１４を通って３段目の空所５内に侵入していき、順次同様に最上段の空所内に達して、該最上段の空所内の空気がそこの瓦の隙間から外気中に放出されるようになる（この場合は、各空所５，５・・内に空気Ａが軒先側から棟側に上昇する）。又、軒先部分から空所５内に風が吹き込まなくても、軒先部分を風が通ると、最下段の空所５内が負圧になって該最下段の空所５内の空気が吸い出され、それよって順次上段側の空所５，５・・内の空気が各瓦桟１の通気用開口１４を通って移動するようになる（この場合は、各空所５，５・・内の空気Ａが棟側から軒先側に降下する）。
【００３２】
又、外気の風が瓦面に吹き付けた場合には、その一部の風（外気）が各瓦４，４間の隙間から瓦下の空所５内に侵入するが、その場合も当該空所５内の空気が侵入空気により上下瓦桟１，１の通気用開口１４，１４からスムーズに押し出される。
【００３３】
従って、第１実施例の瓦桟１を使用した瓦葺き屋根では、のように各瓦桟１，１・・の通気用開口１４，１４・・により、瓦４，４・・と野地板２（ルーフィング３）との間の空所全面の空気がスムーズに外気と入れ替わるようになる。
【００３４】
このように、第１実施例の瓦桟１を使用した瓦葺き屋根では、例えば夏期の日中時に瓦４，４・・が加熱されてその輻射熱で瓦下の空所５，５・・内の空気が高温になっても、各空所５，５・・内の空気が瓦桟１の通気用開口１４を介して自由に流通し得るので、各空所５，５・・内の空気の入れ替えがスムーズに行われ、該各空所５，５・・内の空気が過剰な高温になることがない。この場合は、屋根裏から建物の部屋への加熱が少なくなる。又、雨天時に上記各空所５，５・・内が高湿度状態になっても、外気の湿度が低下すると、その低湿度の空気が各空所５，５・・内の高湿度空気とスムーズに入れ替わって、比較的短時間で高湿度状態から脱却できる。この場合は、外気温度の低下時に空所５内で結露しにくくなる。
【００３５】
図４の第２実施例及び図５の第３実施例の各瓦桟１は、それぞれ図１の第１実施例の一部変形例を示したものである。
【００３６】
図４に示す第２実施例の瓦桟１は、上面板１１を下面板１２に対して若干角度ａ（例えばａ＝３〜４°）だけ幅方向に下降傾斜させている。ところで、瓦桟１を使用して瓦葺き屋根を完成させたときには、図２に示すように野地板２の傾斜角度より各瓦４，４・・の傾斜角度が若干角度（例えば３〜４°）だけ緩くなる。
【００３７】
そして、この第２実施例（図４）のように、瓦桟１の上面板１１を幅方向に若干下降傾斜させたものでは、図２のように瓦桟１の上に瓦４の瓦尻を載せたときに該瓦尻の下面が瓦桟１の全幅に接触するようになる。従って、瓦４の荷重を瓦桟上面板１１の全幅で受けることができるので、瓦桟１が瓦４の荷重で変形しにくくなる。又、瓦尻下面が瓦桟上面板１１の全幅に接触していると瓦が安定し、瓦尻に釘７（図２、図３）を打ち込む作業が容易になる。
【００３８】
図５に示す第３実施例の瓦桟１は、下面板１２の下面に長さ方向に適宜間隔をもって若干高さＣ（Ｃ＝３〜５mm）の脚１５，１５・・を複数個設けたものである。この第３実施例の場合は、下面板１２と上面板１１との高さを脚１５の高さＣだけ短くして、脚１５の下面から上面板１１の上面までの高さを第１実施例（図１）の瓦桟と同じにしている。
【００３９】
図５の瓦桟１では、第１実施例（図２〜図３）と同様に野地板２（ルーフィング３）上に設置したときに、下面板１２の下面がルーフィングの上面より脚１５の高さＣだけ離間するようになる。このように、下面板１２の下面とルーフィングの上面との間に脚１５の高さＣの隙間があると、もしルーフィング上に雨漏りがあっても、そのルーフィング上の雨水が図５に矢印Ｂで示すように下面板１２の下面の隙間（寸法Ｃ）を通って流下するようになり、ルーフィング上に漏れた雨水が瓦桟１で堰止められるのを防止できる。尚、ルーフィング上に漏れた雨水が瓦桟１で堰止められると、その滞留雨水により、止め釘への腐食や釘穴からの雨漏りや空所内の乾燥遅延等の悪影響があるが、この第３実施例のものでは、それらの悪影響が生じない。
【図面の簡単な説明】
【００４０】
【図１】本願第１実施例の瓦止め用の瓦桟の一部斜視図である。
【図２】図１の瓦桟を使用した瓦葺き屋根の断面図である。
【図３】図２のIII−III拡大断面図である。
【図４】本願第２実施例の瓦桟の一部斜視図である。
【図５】本願第３実施例の瓦桟の一部斜視図である。
【図６】従来の一般的な瓦桟を使用した屋根構造の断面図である。
【符号の説明】
【００４１】
１は瓦桟、２は野地板、３はルーフィング、４は瓦、５は空所、１１は上面板、１２は下面板、１３は連結板、１４は通気用開口である。
【図１】
2009167676.tif 000003
【図２】
2009167676.tif 000004
【図３】
2009167676.tif 000005
【図４】
2009167676.tif 000006
【図５】
2009167676.tif 000007
【図６】
2009167676.tif 000008